(57)【要約】【課題】複数の直流電源からの直流電力が入力可能である場合において、一つのみの直流電源から直流電力を入力するときに、直流電力の低下を抑えて電力エネルギーの有効利用を図るとともに、温度上昇を抑えて周辺部品の寿命低下を防止し得るインバータ装置を提供する。【解決手段】複数の太陽電池ストリング２からの直流電力を入力すべく、正極側用と負極側用との対になった入力端子のいずれか一方のみに正極側逆流防止ダイオード１２ａ及び負極側逆流防止ダイオード１２ｂのいずれか一方がそれぞれ接続されている。複数の入力端子における少なくとも１つの正極側用入力端子１１ａに正極側逆流防止ダイオード１２ａが設けられ、複数の入力端子における少なくとも１つの負極側用入力端子１１ｂに負極側逆流防止ダイオード１２ｂが設けられている。【選択図】  図１
2004166411.tif 000002
【特許請求の範囲】
【請求項１】
複数の直流電源の直流電力を交流電力に変換して電気負荷に供給するインバータ装置において、
上記複数の直流電源からの直流電力を入力すべく、正極側用と負極側用との対になった入力端子が複数設けられるとともに、
上記正極側用と負極側用との対になった入力端子のいずれか一方のみに正極側逆流防止手段又は負極側逆流防止手段のいずれか一方がそれぞれ接続されている一方、
上記複数の入力端子における少なくとも１つの正極側用入力端子に上記正極側逆流防止手段が設けられ、かつ上記複数の入力端子における少なくとも１つの負極側用入力端子に上記負極側逆流防止手段が設けられていることを特徴とするインバータ装置。
【請求項２】
前記正極側逆流防止手段及び負極側逆流防止手段は、逆流防止ダイオードであることを特徴とする請求項１記載のインバータ装置。
【請求項３】
前記入力端子、正極側逆流防止手段及び負極側逆流防止手段が搭載される接続部材と、直流電力を交流電力に変換するインバータとを備えるとともに、
上記接続部材とインバータとは分離自在になっていることを特徴とする請求項１又は２記載のインバータ装置。
【請求項４】
請求項１、２又は３記載のインバータ装置には、直流電力を入力するための直流電源が備えられていることを特徴とする電力供給システム。
【発明の詳細な説明】
【０００１】
【発明の属する技術分野】
本発明は、直流電源で発生する直流電力を交流電力に変換するインバータ装置及び電力供給システムに関するものであり、特に、インバータ装置における直流電源との接続部分に関する。
【０００２】
【従来の技術】
太陽光発電システム、及び燃料電池発電システム等の電力供給システムは、クリーンなエネルギーを用いて直流電力を出力し、インバータにより交流電力に変換され、この交流電力を電気負荷等に供給するシステムである。
【０００３】
例えば太陽光発電システムにおいては、太陽電池ストリング毎に直流電力を出力し、これら太陽電池ストリング毎の直流電力の出力は、太陽電池とインバータとの間に設けられた接続箱にて１つにまとめられた後、インバータに入力される。上記太陽電池は日射量により取り出せる直流電力が変化するため、インバータにおいては日射量にかかわらず太陽電池から最大の出力を取り出す制御を行って太陽電池の有効利用を図っている。この種の先行技術としては、例えば特許文献１がある。
【０００４】
上記従来の太陽光発電システムの構成について、図５を参照して具体的に説明する。
【０００５】
同図に示すように、太陽光発電システム１００では、複数の太陽電池ストリング１０１…から直流電力を送電するケーブルは、接続箱１０２にて一対のケーブルにまとめられてインバータ１０３に接続されている。そして、インバータ１０３内にて直流電力が交流電力に変換され、電気負荷１０４に供給される。
【０００６】
また、接続箱１０２には、太陽電池ストリング１０１…とインバータ１０３とを接続又は切り離すための入力開閉器１０６・１０６が設けられる。また、太陽電池ストリング１０１…からのケーブルを接続箱１０２に接続するための端子台１０７ａが設けられている。さらに、接続箱１０２からインバータ１０３にケーブルを接続するための端子台１０７ｂが設けられている。
【０００７】
ここで、複数の太陽電池ストリング１０１…を接続箱１０２に接続した場合、設置される太陽電池の傾斜の方角や太陽電池にかかる影等の影響による日射量の変化により各々の太陽電池ストリング１０１…の出力電圧が異なることがある。
【０００８】
例えば、出力電圧が高い太陽電池ストリング１０１ａから出力電圧が低い太陽電池ストリング１０１ｂに電流が逆流し、出力電圧が低い太陽電池ストリング１０１ｂ内の太陽電池セルを破壊するおそれがある。このため、接続箱１０２内に複数の太陽電池ストリング１０１…からの入力回路毎に逆流防止ダイオード１０５を例えば正極側に一つずつ設けることにより、太陽電池ストリング１０１…内のセルの破壊を防止している。
【０００９】
このように、接続箱１０２は、複数の入力回路を備え、各入力回路には逆流防止ダイオード１０５を一つずつ設けて、入力回路を一つにまとめている。
【００１０】
ここで、例えば、接続箱１０２に一つの太陽電池ストリング１０１ｄのみを入力する場合について、図６に基づいて説明する。
【００１１】
この場合、逆流防止ダイオード１０５は太陽電池セルの破壊を防止するが、それとともに、逆流防止ダイオード１０５を太陽電池ストリング１０１ｄの出力に接続することにより、この逆流防止ダイオード１０５にて電力を消費することになる。また、逆流防止ダイオード１０５で電力消費することにより熱が発生するため、部品の寿命に影響を及ぼすおそれがある。
【００１２】
【特許文献１】
特開２０００−１０６４８号公報（平成１２年１月１４日公開）
【００１３】
【発明が解決しようとする課題】
このように、上記従来のインバータ装置及び電力供給システムでは、複数の太陽電池ストリングからのケーブルが入力接続可能である接続箱に一つの太陽電池ストリングからの直流電力のみを入力する場合、太陽電池から出力される直流電力は少ないにもかかわらず、太陽電池セルの保護のために設けた逆流防止ダイオードで電力を消費した際に発生する熱によって接続箱内の温度が上昇し、周辺部品の寿命に影響を及ぼすおそれがあるという問題点を有している。
【００１４】
なお、この場合に、逆流防止ダイオード１０５が接続されていない入力端子に太陽電池ストリング１０１ｄの出力を接続することにより、逆流防止ダイオード１０５の影響を防止することが考えられる。しかし、そのように接続した場合には、いずれの太陽電池ストリング１０１ｄの出力も負極側に接続されることになるので、短絡により太陽電池ストリング１０１ｄの太陽電池セルが破壊されることになる。
【００１５】
本発明は、上記従来の問題点に鑑みなされたものであって、その目的は、複数の直流電源からの直流電力が入力可能である場合において、一つのみの直流電源から直流電力を入力するときに、直流電力の低下を抑えて電力エネルギーの有効利用を図るとともに、温度上昇を抑えて周辺部品の寿命低下を防止し得るインバータ装置及び電力供給システムを提供することにある。
【００１６】
【課題を解決するための手段】
本発明のインバータ装置は、上記課題を解決するために、複数の直流電源の直流電力を交流電力に変換して電気負荷に供給するインバータ装置において、上記複数の直流電源からの直流電力を入力すべく、正極側用と負極側用との対になった入力端子が複数設けられるとともに、上記正極側用と負極側用との対になった入力端子のいずれか一方のみに正極側逆流防止手段又は負極側逆流防止手段のいずれか一方がそれぞれ接続されている一方、上記複数の入力端子における少なくとも１つの正極側用入力端子に上記正極側逆流防止手段が設けられ、かつ上記複数の入力端子における少なくとも１つの負極側用入力端子に上記負極側逆流防止手段が設けられていることを特徴としている。
【００１７】
上記の発明によれば、複数の直流電源からの直流電力を入力すべく、正極側用と負極側用との対になった入力端子が複数設けられる。そして、これら正極側用と負極側用との対になった入力端子のいずれか一方には正極側逆流防止手段又は負極側逆流防止手段のいずれか一方が接続されている。すなわち、対になった入力端子のいずれか一方のみに正極側逆流防止手段又は負極側逆流防止手段のいずれか一方がかならず接続されている。
【００１８】
これによって、複数の直流電源からこの入力端子に接続した場合には、各正極側用と負極側用とで構成される各入力回路は、正極側逆流防止手段及び負極側逆流防止手段を介して１つにまとめられて交流電力に変換されることになる。このため、従来と同様に複数の直流電源を接続した場合において、各直流電源への電流の逆流防止が図れることになる。
【００１９】
一方、本発明では、構造上、対になった入力端子のいずれか一方には正極側逆流防止手段及び負極側逆流防止手段のいずれもが接続されていないものとなっている。
【００２０】
したがって、このインバータ装置に１個の直流電源のみを接続するときには、正極側逆流防止手段及び負極側逆流防止手段のいずれもが接続されていない入力端子に直流電源の入力回路を接続することによって、該入力回路は、正極側逆流防止手段及び負極側逆流防止手段を介することなく交流電力に変換される。
【００２１】
具体的には、正極側逆流防止手段を接続した正極側用入力端子と対になっている負極側用入力端子に直流電源の負極を接続し、負極側逆流防止手段を接続した負極側用入力端子と対になっている正極側用入力端子に直流電源の正極を接続することによって、正極側逆流防止手段及び負極側逆流防止手段の両方を介さずに入力することができる。そして、１個のみの直流電源を接続したときに、正極側逆流防止手段及び負極側逆流防止手段の両方に電流が流れないため、正極側逆流防止手段及び負極側逆流防止手段で電力を損失することがなく、直流電源からの電力の有効利用を図ることができる。さらには、接続部分において熱が発生しないので温度上昇がなく、周辺部品の寿命低下を防止することができる。
【００２２】
この結果、複数の直流電源からの直流電力が入力可能である場合において、一つのみの直流電源から直流電力を入力するときに、直流電力の低下を抑えて電力エネルギーの有効利用を図るとともに、温度上昇を抑えて周辺部品の寿命低下を防止し得るインバータ装置を提供することができる。
【００２３】
また、本発明のインバータ装置は、上記記載のインバータ装置において、前記正極側逆流防止手段及び負極側逆流防止手段は、逆流防止ダイオードであることを特徴としている。
【００２４】
上記の発明によれば、正極側逆流防止手段及び負極側逆流防止手段は、逆流防止ダイオードであるので、簡単な構成部材にて、各複数の直流電源における電流の逆流防止を図ることができる。
【００２５】
また、本発明のインバータ装置は、上記記載のインバータ装置において、前記入力端子、正極側逆流防止手段及び負極側逆流防止手段が搭載される接続部材と、直流電力を交流電力に変換するインバータとを備えるとともに、上記接続部材とインバータとは分離自在になっていることを特徴としている。
【００２６】
上記の発明によれば、入力端子、正極側逆流防止手段及び負極側逆流防止手段が搭載される接続部材と、直流電力を交流電力に変換するインバータとは分離自在になっている。
【００２７】
したがって、従来の接続箱における入力端子とその接続配線を本発明の構成に変えることによって、一つのみの直流電源から直流電力を入力するときに、直流電力の低下を抑えて電力エネルギーの有効利用を図るとともに、温度上昇を抑えて周辺部品の寿命低下を防止できるので、既存製品の有効利用を図ることができる。
【００２８】
また、本発明の電力供給システムは、上記課題を解決するために、上記記載のインバータ装置には、直流電力を入力するための直流電源が備えられていることを特徴としている。
【００２９】
上記の発明によれば、電力供給システムは、上記記載のインバータ装置と、直流電力を入力するための直流電源とによって構成される。
【００３０】
したがって、複数の直流電源からの直流電力が入力可能である場合において、一つのみの直流電源から直流電力を入力するときに、直流電力の低下を抑えて電力エネルギーの有効利用を図るとともに、温度上昇を抑えて周辺部品の寿命低下を防止し得る電力供給システムを提供することができる。
【００３１】
【発明の実施の形態】
〔実施の形態１〕
本発明の実施の一形態について図１及び図２に基づいて説明すれば、以下の通りである。なお、本実施の形態では、電力供給システムとして太陽光発電システムを例示して説明するが、必ずしもこれに限らず、電力供給システムは燃料電池発電システムでもよい。すなわち、電力供給システムは複数の直流電源を入力して交流電力に変換するものであればよい。
【００３２】
本実施の形態の電力供給システムとして太陽光発電システム１は、図２に示すように、直流電源として複数の太陽電池ストリング２…と、接続部材としての接続箱１０、及びインバータ２０からなるインバータ装置３とからなっている。そして、インバータ装置３のインバータ２０には、電気負荷４が接続されるようになっている。すなわち、本実施の形態では、接続箱１０とインバータ２０とは分離している。なお、上記電気負荷４は、商用電力系統に連系して供給されるものを含んでいる。
【００３３】
上記接続箱１０の内部には、入力端子台１１と逆流防止ダイオード部１２と２組の入力開閉器１３ａ・１３ｂと出力端子台１４とが設けられている。
【００３４】
上記入力端子台１１は偶数個の正極側用入力端子１１ａ及び負極側用入力端子１１ｂを有しており、これら各正極側用入力端子１１ａ及び負極側用入力端子１１ｂ…には上記各太陽電池ストリング２…にて発生した直流電力を送電するために各々対になったケーブルが接続される。すなわち、各太陽電池ストリング２は直流電力を発生するので、ケーブルには正極と負極との２経路が存在する。本実施の形態では、この正極と負極との２経路を合わせたものを１つの入力回路と呼ぶ。
【００３５】
上記各入力回路は、逆流防止ダイオード部１２を通した後、正極又は負極毎に並列に結合され最終的に正極及び負極の一対になった後、入力開閉器１３ａ・１３ｂを介して出力端子台１４に接続され、さらにインバータ２０に接続されるようになっている。
【００３６】
上記入力開閉器１３ａ・１３ｂは、太陽電池ストリング２側とインバータ２０側との接続又は切り離し行うものである。
【００３７】
そして、インバータ２０にて、直流電力は交流電力に変換され、その交流電力を送電するケーブルは電気負荷４に接続されるようになっている。
【００３８】
ところで、本実施の形態では、上記逆流防止ダイオード部１２には、複数の逆流防止ダイオードが設けられているが、それら各逆流防止ダイオードの接続方法に特徴を有している。
【００３９】
すなわち、本実施の形態の逆流防止ダイオードは、入力回路毎にそれぞれ一つずつ設けられる。また、全ての入力回路に対して正極側、負極側のいずれかに必ず逆流防止ダイオードのいずれかを設ける。ここでは、正極側に設けたものを正極側逆流防止手段としての正極側逆流防止ダイオード１２ａとし、負極側に設けたものを負極側逆流防止手段としての負極側逆流防止ダイオード１２ｂとする。
【００４０】
さらに、正極側逆流防止ダイオード１２ａを接続する入力回路を少なくとも一回路設け、負極側逆流防止ダイオード１２ｂを接続する入力回路を少なくとも一回路設ける。
【００４１】
上記構成の太陽光発電システム１において複数の太陽電池ストリング２…を接続して電気負荷４に交流電力を与える方法について説明する。
【００４２】
この場合には、複数の太陽電池ストリング２の各入力回路のケーブルを入力端子台１１の正極側用入力端子１１ａ及び負極側用入力端子１１ｂに、入力端子台１１の端部の正極側用入力端子１１ａから順に接続していく。
【００４３】
上記の接続をした後、入力開閉器１３ａ・１３ｂをオンすることにより、各太陽電池ストリング２にて発生した直流電力を加算した加算直流電力がインバータ２０にて交流電力に変換され、電気負荷４に供給される。
【００４４】
ここで、上記の太陽電池ストリング２の入力端子台１１への接続形態では、太陽電池ストリング２の各入力回路においては、入力回路毎にそれぞれ正極側逆流防止ダイオード１２ａ又は負極側逆流防止ダイオード１２ｂのいずれかが設けられていることになる。
【００４５】
したがって、太陽電池ストリング２の中に、設置される太陽電池の傾斜の方角や太陽電池にかかる影等の影響による日射量の変化により出力電圧が異なることがあった場合においても、例えば、出力電圧が高い太陽電池ストリング２から出力電圧が低い太陽電池ストリング２に電流が逆流し、出力電圧が低い太陽電池ストリング２内の太陽電池セルを破壊するおそれはない。
【００４６】
ところで、従来のインバータ装置では、正極側逆流防止ダイオード１２ａしか設けられていなかった。このため、太陽電池ストリング２を一入力のみ接続する場合には、他の太陽電池ストリング２の影響を考慮しなくてもよいにもかかわらず、逆流防止ダイオードを接続しなければならず、それによって直流電力の損失を余儀なくされるという問題点を有していた。
【００４７】
これに対して、本実施の形態の太陽光発電システム１では、上記の問題が解決されたものとなっている。
【００４８】
すなわち、本実施の形態では、太陽電池ストリング２を一入力のみ接続する場合には、図１に示すように、まず、太陽電池ストリング２の負極を、正極側逆流防止ダイオード１２ａが接続されている正極側用入力端子１１ａと対となっている他方の負極側用入力端子１１ｂに接続する。また、太陽電池ストリング２の正極を、負極側逆流防止ダイオード１２ｂが接続されている負極側用入力端子１１ｂと対となっている他方の正極側用入力端子１１ａに接続する。
【００４９】
このようにすると、太陽電池ストリング２を一入力のみ接続箱１０に入力する場合において、正極側逆流防止ダイオード１２ａ及び負極側逆流防止ダイオード１２ｂを介さずに入力することができる。したがって、太陽電池ストリング２からの直流電力を損失することなくインバータ２０に供給でき、太陽エネルギーの有効利用が図れるとともに、正極側逆流防止ダイオード１２ａ又は負極側逆流防止ダイオード１２ｂでの熱の発生が無く、周辺回路の部品の寿命に影響を及ぼすことがない。
【００５０】
したがって、複数の太陽電池ストリング２からのケーブルが入力接続可能である接続箱１０に一つの太陽電池ストリング２の入力を接続する場合に、直流電力の低下を抑えて太陽エネルギーの有効利用を図るとともに、接続箱１０内の温度上昇を抑えて周辺部品の寿命低下を防止し得るインバータ装置３及び太陽光発電システム１を提供することができる。
【００５１】
このように、本実施の形態のインバータ装置３では、複数の太陽電池ストリング２からの直流電力を入力すべく、正極側用と負極側用との対になった入力端子である正極側用入力端子１１ａ及び負極側用入力端子１１ｂが複数設けられる。そして、これら正極側用と負極側用との対になった入力端子である正極側用入力端子１１ａ及び負極側用入力端子１１ｂのいずれか一方には正極側逆流防止ダイオード１２ａ又は負極側逆流防止ダイオード１２ｂのいずれか一方が接続されている。すなわち、対になった正極側用入力端子１１ａ及び負極側用入力端子１１ｂのいずれか一方のみに正極側逆流防止ダイオード１２ａ又は負極側逆流防止ダイオード１２ｂのいずれか一方がかならず接続されている。
【００５２】
これによって、複数の太陽電池ストリング２からこの正極側用入力端子１１ａ及び負極側用入力端子１１ｂに接続した場合には、各正極側用と負極側用とで構成される各入力回路は、正極側逆流防止ダイオード１２ａ及び負極側逆流防止ダイオード１２ｂを介して１つにまとめられて交流電力に変換されることになる。このため、従来と同様に複数の太陽電池ストリング２を接続した場合において、各太陽電池ストリング２への電流の逆流防止が図れることになる。
【００５３】
一方、本実施の形態では、構造上、対になった正極側用入力端子１１ａ及び負極側用入力端子１１ｂのいずれか一方には正極側逆流防止ダイオード１２ａ及び負極側逆流防止ダイオード１２ｂのいずれもが接続されていないものとなっている。
【００５４】
したがって、このインバータ装置３に１個の太陽電池ストリング２のみを接続するときには、正極側逆流防止ダイオード１２ａ及び負極側逆流防止ダイオード１２ｂのいずれもが接続されていない正極側用入力端子１１ａ及び負極側用入力端子１１ｂに太陽電池ストリング２の入力回路を接続することによって、該入力回路は、正極側逆流防止ダイオード１２ａ及び負極側逆流防止ダイオード１２ｂを介することなく交流電力に変換される。
【００５５】
具体的には、正極側逆流防止ダイオード１２ａを接続した正極側用入力端子１１ａと対になっている負極側用入力端子１１ｂに太陽電池ストリング２の負極を接続し、負極側逆流防止ダイオード１２ｂを接続した負極側用入力端子１１ｂと対になっている正極側用入力端子１１ａに太陽電池ストリング２の正極を接続することによって、正極側逆流防止ダイオード１２ａ及び負極側逆流防止ダイオード１２ｂの両方を介さずに入力することができる。
【００５６】
そして、１個のみの太陽電池ストリング２を接続したときに、正極側逆流防止ダイオード１２ａ及び負極側逆流防止ダイオード１２ｂの両方に電流が流れないため、正極側逆流防止ダイオード１２ａ及び負極側逆流防止ダイオード１２ｂで電力を損失することがなく、太陽電池ストリング２からの電力の有効利用を図ることができる。さらには、接続部分において熱が発生しないので温度上昇がなく、周辺部品の寿命低下を防止することができる。
【００５７】
この結果、複数の太陽電池ストリング２からの直流電力が入力可能である場合において、一つのみの太陽電池ストリング２から直流電力を入力するときに、直流電力の低下を抑えて電力エネルギーの有効利用を図るとともに、温度上昇を抑えて周辺部品の寿命低下を防止し得るインバータ装置３を提供することができる。
【００５８】
また、本実施の形態のインバータ装置３では、正極側逆流防止手段及び負極側逆流防止手段は、逆流防止ダイオードである。このため、簡単な構成部材にて、各複数の太陽電池ストリング２における電流の逆流防止を図ることができる。
【００５９】
また、本実施の形態のインバータ装置３では、正極側用入力端子１１ａ及び負極側用入力端子１１ｂ、正極側逆流防止ダイオード１２ａ及び負極側逆流防止ダイオード１２ｂが搭載される接続箱１０と、直流電力を交流電力に変換するインバータとは分離自在になっている。
【００６０】
したがって、従来の接続箱における入力端子とその接続配線を本実施の形態の構成に変えることによって、一つのみの太陽電池ストリング２から直流電力を入力するときに、直流電力の低下を抑えて電力エネルギーの有効利用を図るとともに、温度上昇を抑えて周辺部品の寿命低下を防止できるので、既存製品の有効利用を図ることができる。
【００６１】
また、本実施の形態の太陽光発電システム１は、上記のインバータ装置３と、直流電力を入力するための太陽電池ストリング２とによって構成される。
【００６２】
したがって、複数の太陽電池ストリング２からの直流電力が入力可能である場合において、一つのみの太陽電池ストリング２から直流電力を入力するときに、直流電力の低下を抑えて電力エネルギーの有効利用を図るとともに、温度上昇を抑えて周辺部品の寿命低下を防止し得る太陽光発電システム１を提供することができる。
【００６３】
〔実施の形態２〕
本発明の他の実施の形態について図３及び図４に基づいて説明すれば、以下の通りである。なお、説明の便宜上、前記の実施の形態１の図面に示した部材と同一の機能を有する部材については、同一の符号を付し、その説明を省略する。
【００６４】
本実施の形態の太陽光発電システムでは、インバータ装置を一体化して形成したものとなっている。
【００６５】
すなわち、図３に示すように、本実施の形態の太陽光発電システム３１では、インバータ装置３３が、入力端子台１１と、逆流防止ダイオード部１２及び入力開閉器１３ａ・１３ｂを含む入力部４０と、電力変換部５０とが一体に形成されたものとなっている。したがって、本実施の形態では、前記実施の形態１に存在した出力端子台１４が存在しない。また、電力変換部５０は、実施の形態１では、独立して分離可能であったインバータ２０がインバータ装置３３内に組み込まれたものであり、その機能は、インバータ２０と同様に直流電力を交流電力に変換するものである。
【００６６】
他の構成については、前記実施の形態１で示したと同様である。
【００６７】
すなわち、上記の太陽光発電システム３１では、直流電源として複数の太陽電池ストリング２が接続可能となっており、これらの直流電力を送電するケーブルはインバータ装置３３内の入力端子台１１に接続される。
【００６８】
インバータ装置３３内では、直流電力は交流電力に変換され、電気負荷４に接続される。そのため、上記インバータ装置３３内では、複数の直流電力の入力ケーブル及び交流電力の出力のためのケーブルが接続されている。
【００６９】
そして、上記インバータ装置３３では、直流電力の入力部４０において複数の直流電力の入力回路は、正極と負極との一対の直流電力の送電回路に集約された後に、入力部４０と電力変換部５０とを接続し又は切り離すための入力開閉器１３ａ・１３ｂが設けられている。
【００７０】
入力部４０の入力端子台１１では、逆流防止ダイオードを複数の入力回路毎に一つずつ接続する。具体的には、正極側に正極側逆流防止ダイオード１２ａを接続する入力回路を少なくとも一回路設け、負極側に負極側逆流防止ダイオード１２ｂを接続する入力回路を少なくとも一回路設ける。この場合、全ての入力回路は、正極側、負極側のいずれかに必ず正極側逆流防止ダイオード１２ａ又は負極側逆流防止ダイオード１２ｂを設ける。
【００７１】
この回路構成のインバータ装置３３において、太陽電池ストリング２を一入力のみ接続する場合には、図４に示すように、正極側に正極側逆流防止ダイオード１２ａを接続した入力回路の負極側用入力端子１１ｂに太陽電池ストリング２の負極を接続し、負極側に負極側逆流防止ダイオード１２ｂを接続した入力回路の正極側用入力端子１１ａに太陽電池ストリング２の正極を接続する。
【００７２】
このようにすると、太陽電池ストリング２を一入力のみインバータ装置３３に入力する場合において、正極側逆流防止ダイオード１２ａ又は負極側逆流防止ダイオード１２ｂを介さずに入力することができる。このため、太陽電池ストリング２からの直流電力を損失することなくインバータ装置３３に該直流電力供給でき、太陽エネルギーの有効利用が図れるとともに、正極側逆流防止ダイオード１２ａ又は負極側逆流防止ダイオード１２ｂでの熱の発生が無く、周辺回路の部品の寿命に影響を及ぼすことがない。
【００７３】
また、図３に示すように、このようなインバータ装置３３の入力部４０の回路構成を用いても複数の太陽電池ストリング２…を接続した場合において、太陽電池ストリング２への逆流を防止した状態で接続することができる。
【００７４】
このように、本実施の形態の太陽光発電システム３１のインバータ装置３３では、接続箱１０を無くし、インバータ２０と接続箱１０とを一体にすることにより、コンパクトなインバータ装置３３及び太陽光発電システム３１を提供することができる。
【００７５】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的手段に含まれる。
【００７６】
すなわち、前記実施の形態１にて説明した効果は、本実施の形態においても、あてはまる。
【００７７】
【発明の効果】
本発明のインバータ装置は、以上のように、複数の直流電源からの直流電力を入力すべく、正極側用と負極側用との対になった入力端子が複数設けられるとともに、上記正極側用と負極側用との対になった入力端子のいずれか一方のみに正極側逆流防止手段又は負極側逆流防止手段のいずれか一方がそれぞれ接続されている一方、上記複数の入力端子における少なくとも１つの正極側用入力端子に上記正極側逆流防止手段が設けられ、かつ上記複数の入力端子における少なくとも１つの負極側用入力端子に上記負極側逆流防止手段が設けられているものである。
【００７８】
それゆえ、対になった入力端子のいずれか一方のみに正極側逆流防止手段又は負極側逆流防止手段のいずれか一方がかならず接続されている。これによって、複数の直流電源からこの入力端子に接続した場合には、各正極側用と負極側用とで構成される各入力回路は、正極側逆流防止手段及び負極側逆流防止手段を介して１つにまとめられて交流電力に変換されることになる。このため、従来と同様に複数の直流電源を接続した場合において、各直流電源への電流の逆流防止が図れることになる。
【００７９】
一方、本発明では、構造上、対になった入力端子のいずれか一方には正極側逆流防止手段及び負極側逆流防止手段のいずれもが接続されていないものとなっている。
【００８０】
したがって、このインバータ装置に１個の直流電源のみを接続するときには、正極側逆流防止手段及び負極側逆流防止手段のいずれもが接続されていない入力端子に直流電源の入力回路を接続することによって、該入力回路は、正極側逆流防止手段及び負極側逆流防止手段を介することなく交流電力に変換される。
【００８１】
この結果、複数の直流電源からの直流電力が入力可能である場合において、一つのみの直流電源から直流電力を入力するときに、直流電力の低下を抑えて電力エネルギーの有効利用を図るとともに、温度上昇を抑えて周辺部品の寿命低下を防止し得るインバータ装置を提供することができるという効果を奏する。
【００８２】
また、本発明のインバータ装置は、上記記載のインバータ装置において、前記正極側逆流防止手段及び負極側逆流防止手段は、逆流防止ダイオードであるものである。
【００８３】
それゆえ、簡単な構成部材にて、各複数の直流電源における電流の逆流防止を図ることができるという効果を奏する。
【００８４】
また、本発明のインバータ装置は、上記記載のインバータ装置において、前記入力端子、正極側逆流防止手段及び負極側逆流防止手段が搭載される接続部材と、直流電力を交流電力に変換するインバータとを備えるとともに、上記接続部材とインバータとは分離自在になっているものである。
【００８５】
それゆえ、従来の接続箱における入力端子とその接続配線を本発明の構成に変えることによって、一つのみの直流電源から直流電力を入力するときに、直流電力の低下を抑えて電力エネルギーの有効利用を図るとともに、温度上昇を抑えて周辺部品の寿命低下を防止できるので、既存製品の有効利用を図ることができるという効果を奏する。
【００８６】
また、本発明の電力供給システムは、上記課題を解決するために、上記記載のインバータ装置には、直流電力を入力するための直流電源が備えられているものである。
【００８７】
それゆえ、複数の直流電源からの直流電力が入力可能である場合において、一つのみの直流電源から直流電力を入力するときに、直流電力の低下を抑えて電力エネルギーの有効利用を図るとともに、温度上昇を抑えて周辺部品の寿命低下を防止し得る電力供給システムを提供することができるという効果を奏する。
【図面の簡単な説明】
【図１】本発明におけるインバータ装置及び電力供給システムの実施の一形態を示すものであり、１個の太陽電池ストリングを接続した状態を示すブロック図である。
【図２】上記インバータ装置及び電力供給システムにおいて、複数個の太陽電池ストリングを接続した状態を示すブロック図である。
【図３】本発明におけるインバータ装置及び電力供給システムの他の実施の一形態を示すものであり、複数個の太陽電池ストリングを接続した状態を示すブロック図である。
【図４】上記インバータ装置及び電力供給システムにおいて、１個の太陽電池ストリングを接続した状態を示すブロック図である。
【図５】従来のインバータ装置及び電力供給システムを示すものであり、複数個の太陽電池ストリングを接続した状態を示すブロック図である。
【図６】上記インバータ装置及び電力供給システムにおいて、１個の太陽電池ストリングを接続した状態を示すブロック図である。
【符号の説明】
１    太陽光発電システム（電力供給システム）
２    太陽電池ストリング（直流電源）
３    インバータ装置
４    電気負荷
１０    接続箱（接続部材）
１１    入力端子台
１１ａ  正極側用入力端子（入力端子）
１１ｂ  負極側用入力端子（入力端子）
１２    逆流防止ダイオード部
１２ａ  正極側逆流防止ダイオード（正極側逆流防止手段）
１２ｂ  負極側逆流防止ダイオード（負極側逆流防止手段）
１３ａ  入力開閉器
１３ｂ  入力開閉器
１４    出力端子台
２０    インバータ
３１    太陽光発電システム
３３    インバータ装置
４０    入力部
５０    電力変換部
【図１】
2004166411.tif 000003
【図２】
2004166411.tif 000004
【図３】
2004166411.tif 000005
【図４】
2004166411.tif 000006
【図５】
2004166411.tif 000007
【図６】
2004166411.tif 000008